(57)【要約】      （修正有）【課題】タイマーの設定のパターンを容易に把握でき、タイマーの設定のパターンの変更を容易に行うことができるインターロック制御装置を提供する。【解決手段】電気錠を収容する複数の回線のうち所定の回線より開閉扉の検出及び所定の回線に対して施解錠の要求のうちいずれか一方を設定するための複数のライン４７を有し、各回線と各ラインとの間に、回線より開閉扉の検出か、回線に対して施解錠の要求かを排他的に選択可能な選択部４７０がそれぞれ設けられたインターロック基板を有し、電気錠を収容しない回線を設け、第１のラインでは電気錠を収容しない回線の選択部が開閉扉の検出に選択され、第２のラインでは電気錠を収容しない回線の選択部が施解錠の要求に選択され、電気錠を収容しない回線の選択部の線のうち、開閉扉の検出のための線は、タイマーのスタートの入力に接続され、施解錠の要求の線は、タイマーのスイッチに接続されている。【選択図】図３
2016188530.tif 000002
【特許請求の範囲】
【請求項１】
電気錠を収容する複数の回線のうち所定の回線より開閉扉の検出及び所定の回線に対して施解錠の要求のうちいずれか一方を設定するための複数のラインを有し、各回線と各ラインとの間に、回線より開閉扉の検出か、回線に対して施解錠の要求かを排他的に選択可能な選択部がそれぞれ設けられたインターロック基板を有し、
電気錠を収容しない回線を設け、
第１のラインでは、第１の扉の開閉に応じて第２の扉の電気錠するように少なくとも２つの選択部が選択され、かつ、電気錠を収容しない回線の選択部が開閉扉の検出に選択され、
第２のラインでは、第１の扉の回線の選択部が開閉扉の検出に選択され、電気錠を収容しない回線の選択部が施解錠の要求に選択され、
電気錠を収容しない回線の選択部の開閉扉の検出のための線は、タイマーのスタートの入力に接続され、電気錠を収容しない回線の選択部の施解錠の要求の線は、タイマーのスイッチに接続されている
インターロック制御装置。
【請求項２】
請求項１に記載のインターロック制御装置であって、
前記選択部による選択は、外部より目視で確認できるようになっている
インターロック制御装置。
【請求項３】
請求項１又は２記載のインターロック制御装置であって、
外付けのタイマーを具備する
インターロック制御装置。
【発明の詳細な説明】
【技術分野】
【０００１】
本発明は、電気錠に用いられるインターロック制御装置に関する。
【背景技術】
【０００２】
電気錠に用いられるインターロック制御とは、例えば２枚の扉が同時に開くことがないように２個の電気錠を制御することをいい、例えばクリーンルームの出入り口や病院の隣接する個室でのトイレの共有の場合に用いられる（非特許文献１参照）。研究所や工場などの施設では、多数の扉に対してインターロック制御が行われる場合もある。例えば、これらの施設においては、１つの扉が開いているときに、他の複数の扉が開くことがないような制御が行われる。
【０００３】
このようなインターロック制御では、例えば各扉の電気錠を制御する操作盤を用いて、１つの扉が開いているときに当該扉の電気錠より開扉を検出し、これをトリガーとして、開かないことが要求される扉の電気錠に対して施錠を要求する。
【先行技術文献】
【非特許文献】
【０００４】
【非特許文献１】http://dcs.mediapress-net.com/iportal/CatalogViewInterfaceStartUpAction.do?method=startUp&mode=PAGE&catalogId=5304900000&pageGroupId=1&volumeID=MIW10001&designID=LINK_MIW   ＷｅｂカタログＰ６２９
【発明の概要】
【発明が解決しようとする課題】
【０００５】
通常のインターロック制御においては、相手の扉が閉扉すると、それがトリガーとなって自扉が即座に解錠されるような制御が行われるが、相手の扉が閉扉した後の一定時間後に自扉が解錠されるような制御も必要とされている。例えば、インターロック制御が行われる室内に資材や原料が搬入された後の一定時間、クレーンルーム入室時のエアーシャワーの場合と同様に、清掃や除塵のための時間を設けることが要求される場合がある。
【０００６】
図４はインターロック制御を行うための操作盤に外付けのタイマーを接続した結線例である。
【０００７】
図４に示すように、このシステムは、操作盤１００がインターロック基板（設定パターンを表記）１４１を有し、操作盤１００にはタイマー１５０が接続されている。各扉（電気錠）は、並列ハーネス１４３及びＵハーネス１４２を介して接続され、開扉の検出や施解錠の制御が行われるようになっている。「１回線」、「２回線」、「３回線」は、それぞれ各Ａ、Ｂ、Ｃ扉に対する回線を表わしており、ここでの設定では、例えばＡ扉に開扉に対してＢ扉が施錠され、同時にＡ扉開閉スイッチ１４６によりＡ扉開扉信号がタイマー１５０のリセット・スタート入力部１５１に入力され、オフディレモードによりＮＯ出力スイッチ１５２からのＮＯ出力がＯＮとなる。その後、Ａ扉が閉扉されると、Ａ扉開閉スイッチ１４６によりＡ扉閉扉信号がタイマー１５０のリセット・スタート入力部１５１に入力され、所定のタイマー時間経過後にＮＯ出力スイッチ１５２からのＮＯ出力がＯＦＦとなる。これにより、リレー１４４が継となりＢ扉の並列ハーネス１４３とＵハーネス１４２との間の２番配線（Ｂ扉を施解錠制御するための配線）が通電され、Ｂ扉が解錠される。すなわち、Ａ扉の閉扉後も所定のタイマー時間、Ｂ扉の施錠が継続する。
【０００８】
しかしながら、並列ハーネス１４３とＵハーネス１４２との間の配線にリレーを介挿するように配線を引き回すだけで、タイマーの設定を行っているので、後述のようにインターロック基板においてインターロックのパターンが明確化され、いわゆる「見える化」がされているにもかかわらず、タイマーの設定については「見える化」がされておらず、例えばユーザがタイマーの設定のパターンを容易に把握できない、という課題がある。
【０００９】
また、並列ハーネス１４３とＵハーネス１４２との間の配線にリレーを介挿するように配線を引き回すことで、タイマーの設定を行っているので、パターンの変更があった場合にＵハーネス１４２の入れ替えが必要になり、対応のための作業が面倒である、という課題がある。
【００１０】
以上のような事情に鑑み、本発明の目的は、タイマーの設定のパターンを容易に把握でき、タイマーの設定のパターンの変更を容易に行うことができるインターロック制御装置を提供することにある。
【課題を解決するための手段】
【００１１】
上記課題を解決するため本発明に係るインターロック制御装置は、電気錠を収容する複数の回線のうち所定の回線より開閉扉の検出及び所定の回線に対して施解錠の要求のうちいずれか一方を設定するための複数のラインを有し、各回線と各ラインとの間に、回線より開閉扉の検出か、回線に対して施解錠の要求かを排他的に選択可能な選択部がそれぞれ設けられたインターロック基板を有し、電気錠を収容しない回線を設け、第１のラインでは、第１の扉の開閉に応じて第２の扉の電気錠するように少なくとも２つの選択部が選択され、かつ、電気錠を収容しない回線の選択部が開閉扉の検出に選択され、第２のラインでは、第１の扉の回線の選択部が開閉扉の検出に選択され、電気錠を収容しない回線の選択部が施解錠の要求に選択され、電気錠を収容しない回線の選択部の開閉扉の検出のための線は、タイマーのスタートの入力に接続され、電気錠を収容しない回線の選択部の施解錠の要求の線は、タイマーのスイッチに接続されている。
【発明の効果】
【００１２】
従って、本発明によれば、タイマーの設定のパターンを容易に把握でき、タイマーの設定のパターンの変更を容易に行うことができる。
【図面の簡単な説明】
【００１３】
【図１】本発明の一実施形態に係るインターロック制御装置の構成示す概略図である。
【図２】操作盤とタイマーの概略構成を示す図である。
【図３】図２に示したＵハーネス及びインターロック基板の構成を示す回路図である。
【図４】一般的な操作盤とタイマーの概略構成を示す図である。
【発明を実施するための形態】
【００１４】
以下、図面を参照しながら、本発明の実施形態を説明する。
図１は本発明の一実施形態に係るインターロック制御装置の構成示す概略図である。
【００１５】
同図に示すように、このシステム１は、３つのＡ、Ｂ、Ｃ扉１０の電気錠２０に対してインターロック制御を実現するものであり、電気錠２０との間の３つの回線（１回線〜３回線）３０−１〜３０−３を収容する操作盤４０を備える。この操作盤４０は、４つの回線を収容可能であるが、３つの回線を収容し、残りの１つは回線を収容していない。なお、本発明に係るインターロック制御装置は、収容する回線数はこれに限定されず、また収容しない回線数もこれに限定されない。
【００１６】
また、例えばＡ扉１０が閉扉した後の一定時間後にＢ扉１０が解錠されるようなタイマー制御を行うためのタイマー５０が外付けで接続されている。本発明に係るインターロック制御装置は、操作盤４０とタイマー５０とで構成されるが、タイマーが操作盤４０内に実装されていても構わない。
【００１７】
図２は操作盤４０とタイマー５０の概略構成を示している。また、図３はＵハーネス及びインターロック基板の構成を示す回路図であり、実質的に正面から見た外観図でもある。
【００１８】
図２に示すように、操作盤４０は、Ｕハーネス４２Ａ〜４２Ｃ及びインターロック基板４１を有する。タイマー５０は、リセット・スタート入力部５１及びＮＯ出力スイッチ５２を有する。３つのＵハーネス４２Ａ〜４２Ｃは、それぞれ３つのＡ、Ｂ、Ｃ扉１０の電気錠２０の制御部（図示せず。）に接続される。
【００１９】
図３に示すように、インターロック基板４１は、直流電源が印加された８本のライン４７と、選択部４７０と、４つの並列ハーネス４４Ａ〜４４Ｄと、リレー４５Ａ〜４５Ｄとを有する。
【００２０】
各Ｕハーネス４２Ａ〜４２Ｃは、３×３で９個の端子を有する。ここで、それぞれの端子を１番端子〜９番端子と呼ぶ。ここでは、５番端子と６番端子との間が接続で電気錠２０が解錠、５番端子と６番端子との間が開放で電気錠２０が施錠となる。４つの並列ハーネス４４Ａ〜４４Ｄは、１×４で４個の端子を有する。これぞれの端子を１番端子〜４番端子と呼ぶ。
【００２１】
４つの並列ハーネス４４Ａ〜４４Ｄのうち３つの並列ハーネス４４Ａ〜４４Ｃは、それぞれ配線４３Ａ〜４３Ｃを介して、Ｕハーネス４２Ａ〜４２Ｃの４番端子が並列ハーネス４４Ａ〜４４Ｃの１番端子、Ｕハーネス４２Ａ〜４２Ｃの５番端子が並列ハーネス４４Ａ〜４４Ｃの２番端子、Ｕハーネス４２Ａ〜４２Ｃの６番端子が並列ハーネス４４Ａ〜４４Ｃの３番端子、Ｕハーネス４２Ａ〜４２Ｃの７番端子が並列ハーネス４４Ａ〜４４Ｃの４番端子に接続されている。
【００２２】
ここでは、回線３０−１〜３０−３に接続された電気錠２０のＡ、Ｂ、Ｃ扉１０が開扉するとそれぞれＵハーネス４２Ａ〜４２Ｃの４番端子がＬｏｗとなり、並列ハーネス４４Ａ〜４４Ｃの１番端子がＬｏｗとなり、Ａ、Ｂ、Ｃ扉１０が閉扉するとそれぞれＵハーネス４２Ａ〜４２Ｃの４番端子がＨｉｇｈとなり、並列ハーネス４４Ａ〜４４Ｃの１番端子がＨｉｇｈとなるようにされている。
【００２３】
４つの並列ハーネス４４Ａ〜４４Ｄのうち１つの並列ハーネス４４Ｄは、Ｕハーネスには接続されずに、回線を収容するために用いられず、タイマー機能を実現するために用いられる。並列ハーネス４４Ｄの２番端子及び３番端子は、配線Ｄ１及びＤ２を介してタイマー５０のリセット・スタート入力部５１に接続されている。並列ハーネス４４Ｄの１番端子は、配線Ｄ３を介してタイマー５０のＮＯ出力スイッチ５２に接続され、ＮＯ出力スイッチ５２を介した配線Ｄ４を介して操作盤４０側の０Ｖの設定に接続されている。
【００２４】
選択部４７０は、第１の短絡端子４７１と、第２の短絡端子４７２と、第３の短絡端子４７３とを有する。選択部４７０では、短絡ピン４６を使って、第１の短絡端子４７１と第２の短絡端子４７２とを短絡させるか、第２の短絡端子４７２と第３の短絡端子４７３とを短絡させるかを排他的に選択できるようになっている。このような短絡ピン４６の設定は、図３に示すとおりに、人が正面から目視により認識できるようになっている。
【００２５】
リレー４５Ａ〜４５Ｄは、入力側が選択部４７０における第３の短絡端子４７３にダイオードＤ１を介して接続され、出力側で並列ハーネス４４Ａ〜４４Ｄの２番端子と３番端子との間の解放−クローズの切り替えを行う。すなわち、ライン４７に電流が流れると、ライン４７から第２の短絡端子４７２、短絡ピン４６、第３の短絡端子４７３を介してリレー４５Ａ〜４５Ｄに電流が流れ、リレー４５Ａ〜４５ＤがＯＮし、並列ハーネス４４Ａ〜４４Ｃの２番端子と３番端子との間が解放となり、回線３０に接続された電気錠２０が施錠され、また並列ハーネス４４Ｄについてはその２番端子と３番端子との間が解放となり、リセット・スタート入力部５０に入力され、オフディレモードによりＮＯ出力スイッチ５２がＯＮとなる。
【００２６】
第１の短絡端子４７１はダイオードＤ２を介して並列ハーネス４４Ａ〜４４Ｄの１番端子に接続されている。並列ハーネス４４Ａ〜４４Ｃの１番端子は、配線４３Ａ〜４３Ｃを介してＵハーネス４２Ａ〜４２Ｃの４番端子に接続されており、このＵハーネス４２Ａ〜４２Ｃの４番端子は接続された回線３０の電気錠２０の扉１０が開扉するとＬｏｗとなり、扉１０が閉扉するとＨｉｇｈとなるように設定されている。従って、扉１０が開扉すると、第１の短絡端子４７１はＬｏｗ、扉１０が閉扉すると、第１の短絡端子４７１はＨｉｇｈとなるようになっている。
【００２７】
図３に示したように、下から二番目のライン４７において、２回線３０−２に対応する選択部４７０で第２の短絡端子４７２と第３の短絡端子４７３とが短絡ピン４６によって短絡され、１回線３０−１及び３回線３０−３に対応する選択部４７０で第２の短絡端子４７２と第１の短絡端子４７１とが短絡ピン４６によって短絡されている（インターロック設定用）。
【００２８】
また、二番目のライン４７において、回線が設定いない４回線部分に対応する選択部４７０で第２の短絡端子４７２と第１の短絡端子４７１とが短絡ピン４６によって短絡され、下から四番目のライン４７において、１回線３０−１に対応する選択部４７０で第２の短絡端子４７２と第１の短絡端子４７１とが短絡ピン４６によって短絡され、回線が設定いない４回線部分に対応する選択部４７０で第２の短絡端子４７２と第３の短絡端子４７３とが短絡ピン４６によって短絡される（タイマー設定用）。
【００２９】
この状態で、例えば１回線３０−１に対応する電気錠２０のＡ扉１０が開扉されると、１回線３０−１における第１の短絡端子４７１がＬｏｗとなり、これに短絡ピン４６を介して接続された第２の短絡端子４７２がＬｏｗとなり、下から二番目のライン４７に電流が流れる。これにより、２回線３０−２における第２の短絡端子４７２より短絡ピン４６及び第３の短絡端子４７３を介してリレー４５Ｂに電流が流れ、リレー４５ＢがＯＮし、並列ハーネス４４Ｂの２番端子と３番端子との間が解放となり、２回線３０−２に接続されたＢ扉１０の電気錠２０が施錠される。このとき、タイマー設定用として、下から四番目のライン４７において、１回線３０−１に対応する選択部４７０で第２の短絡端子４７２と第１の短絡端子４７１とが短絡ピン４６によって短絡され、回線が設定いない４回線部分に対応する選択部４７０で第２の短絡端子４７２と第３の短絡端子４７３とが短絡ピン４６によって短絡されているので、回線が設定いない４回線部分における第２の短絡端子４７２より短絡ピン４６及び第３の短絡端子４７３を介してリレー４５Ｄに電流が流れ、リレー４５ＤがＯＮし、並列ハーネス４４Ｄの２番端子と３番端子との間が解放となり、これに接続されたタイマー５０側のリセット・スタート入力部５１によりタイマー５０がスタートする。
【００３０】
その後、１回線３０−１に対応する電気錠２０のＡ扉１０が閉扉されると、１回線３０−１における第１の短絡端子４７１がＨｉｇｈとなり、これに短絡ピン４６を介して接続された下から二番目のライン４７の第２の短絡端子４７２がＨｉｇｈとなり、本来ならば下から二番目のライン４７に電流が流れなくなり、Ｂ扉１０の電気錠２０が解錠されるが、１回線３０−１に対応する電気錠２０のＡ扉１０が閉扉されると、下から四番目のライン４７において、１回線３０−１に対応する選択部４７０で第２の短絡端子４７２と第１の短絡端子４７１とが短絡ピン４６によって短絡されていることから、この第１の短絡端子４７１がＨｉｇｈとなり、下から四番目のライン４７に電流が流れなくなる。ここで、下から四番目のライン４７において、回線が設定いない４回線部分に対応する選択部４７０で第２の短絡端子４７２と第３の短絡端子４７３とが短絡ピン４６によって短絡されているので、回線が設定いない４回線部分における第２の短絡端子４７２より短絡ピン４６及び第３の短絡端子４７３を介してリレー４５Ｄに電流が流れなくなり、リレー４５ＤがＯＦＦし、並列ハーネス４４Ｄの２番端子と３番端子との間が接続となり、これに接続されたタイマー５０側のリセット・スタート入力部５１に入力され、タイマー５０がこの時より所定のタイマー時間経過した後、ＮＯ出力スイッチ５２が断となり、これにより回線が設定いない４回線部分に対応する選択部４７０の第１の短絡端子４７１がＬｏｗからＨｉｇｈとなるように設定されている。すなわち、回線が設定いない４回線部分においては、これに対応する仮想の扉が、あたかも、Ａ扉１０が閉扉した後の所定タイマー時間後に閉扉したように機能する。
【００３１】
従って、１回線３０−１に対応する電気錠２０のＡ扉１０が閉扉されると、１回線３０−１における第１の短絡端子４７１がＨｉｇｈとなり、これに短絡ピン４６を介して接続された下から二番目のライン４７の第２の短絡端子４７２がＨｉｇｈとなるが、回線が設定いない４回線部分における第１の短絡端子４７１がＬｏｗのままで、これに短絡ピン４６を介して接続された下から二番目のライン４７の第２の短絡端子４７２がＬｏｗのままであり、所定タイマー時間後に回線が設定いない４回線部分における第１の短絡端子４７１がＨｉｇｈとなり、これに短絡ピン４６を介して接続された下から二番目のライン４７の第２の短絡端子４７２がＨｉｇｈとなり、下から二番目のライン４７に電流が流れなくなり、Ｂ扉１０の電気錠２０が解錠される。
【００３２】
以上のとおり、本実施形態では、図３に示したように、選択部４７０で短絡ピン４６を使ってタイマー機能を任意に設定でき、このような短絡ピン４６の設定は、人が正面から目視により認識できるようになっているので、タイマーの設定のパターンを容易に把握でき、タイマーの設定のパターンの変更を容易に行うことができる。
【００３３】
なお、本発明は、上記実施形態には限定されることはなく、本発明の技術的思想の範囲内で適宜変形して実施することができ、その実施の範囲も本発明の技術的範囲に属するものである。
【符号の説明】
【００３４】
１０  扉
２０  電気錠
３０−１〜３０−３  回線
４０  操作盤
４１  インターロック基板
４２Ａ〜４２Ｃ  Ｕハーネス
４４Ａ〜４４Ｄ  並列ハーネス
４７  ライン
４７０  選択部
５０  タイマー
５１  リセット・スタート入力部
５２  ＮＯ出力スイッチ
【図１】
2016188530.tif 000003
【図２】
2016188530.tif 000004
【図３】
2016188530.tif 000005
【図４】
2016188530.tif 000006